(57)【特許請求の範囲】
【請求項１】
基地局がコアネットワークからの警報情報を受信することと、
前記基地局がＲＲＣ層メッセージ中に異なるタイプの警報情報に対応する警報更新識別子及び送信待ちの警報メッセージ数を設定することにより、セル中に放送している警報情報が変更されたか又は変更されようとするかをＵＥに報知すること、又は、
前記基地局が前記ＲＲＣ層メッセージ中に、セルが放送している又は放送しようとする警報セグメントの情報を設定することにより、セル中に放送している警報情報が変更されたか又は変更されようとするかを前記ＵＥに報知することと、を含む警報制御情報の処理方法。
【請求項２】
前記警報情報は地震津波警報システム（ＥＴＷＳ）情報、商用移動警報システム（ＣＭＡＳ）情報又は公衆警報システム（ＰＷＳ）情報であり、及び／又は、
前記ＲＲＣ層メッセージはシステム情報ブロック（ＳＩＢ）及びページングメッセージ（Ｐａｇｉｎｇ）を含む請求項１に記載の方法。
【請求項３】
前記基地局が前記ＲＲＣ層メッセージ中に異なるタイプの警報情報に対応する警報更新識別子及び送信待ちの警報メッセージ数を設定することにより、セル中に放送している警報情報が変更されたか又は変更されようとするかを前記ＵＥに報知した後、前記方法は、
前記基地局が前記ＲＲＣ層メッセージ中において警報セグメントの情報を設定することをさらに含み、
前記警報セグメントの情報は、
警報メッセージカテゴリー、警報メッセージ識別子（ｍｅｓｓａｇｅＩｄｅｎｔｉｆｉｅｒ）、警報メッセージシリアル番号（ｓｅｒｉａｌＮｕｍｂｅｒ）及び警報メッセージセグメント番号（ｗａｒｎｉｎｇＭｅｓｓａｇｅＳｅｇｍｅｎｔＮｕｍｂｅｒ）のうちの１種又は複数種を含む請求項１又は２に記載の方法。
【請求項４】
前記基地局が、セル中に放送している警報情報が変更されたか又は変更されようとするかを前記ＵＥに報知することは、
前記基地局が、セル中に放送している警報情報には、警報情報の無から有への変化、警報情報の数の変化、警報情報の変化及び警報情報を有するシステム情報ブロックのスケジューリングの変化のうちの１種又は複数種が発生したかどうかを前記ＵＥに報知することを含む請求項１又は２に記載の方法。
【請求項５】
ユーザ装置（ＵＥ）が、基地局が送信した無線資源コントロールプロトコル（ＲＲＣ）層メッセージを受信し、そのうち、前記ＲＲＣ層メッセージ中に、セルが放送している又は放送しようとする警報セグメントの情報、又は、異なるタイプの警報情報に対応する一つ又は複数の警報更新識別子及び送信待ちの警報メッセージ数が設定されることと、
前記ＵＥが、前記ＲＲＣ層メッセージに基づいて警報情報が変更されたかどうかを判断することと、を含む警報情報の受信方法。
【請求項６】
前記警報情報は地震津波警報システム（ＥＴＷＳ）情報、商用移動警報システム（ＣＭＡＳ）情報又は公衆警報システム（ＰＷＳ）情報であり、及び／又は、
前記ＲＲＣ層メッセージはシステム情報ブロック及びページングメッセージを含む請求項５に記載の方法。
【請求項７】
前記ＵＥが、前記ＲＲＣ層メッセージに基づいて警報情報が変更されたかどうかを判断することは、
前記ＵＥが前記ＲＲＣ中における相応するタイプ警報情報に対応する一つ又は複数の警報更新識別子を読み込んで保存し、今回読み取ったものが前回読み取った警報更新識別子と合致しないと、警報情報が変更されたと認め、合致すると、警報情報に変更がないと認めること、又は、
前記ＵＥは前記ＲＲＣ中における前記警報セグメントの情報を読み取り、前記情報に基づいて放送している警報セグメントが変更されたかどうかを判断することを含む請求項６に記載の方法。
【請求項８】
前記警報情報がＣＭＡＳ情報であるとき、前記ＵＥが対応する警報情報を読み取った後、前記方法は、
前記ＵＥは前記ＲＲＣ層メッセージ中における前記警報メッセージ数に基づいてあらゆる警報情報を読み取ったかを判断し、読み込んでいないと、あらゆる警報情報を読み取るまで、引き続き読み取ることをさらに含む請求項７に記載の方法。
【請求項９】
前記警報セグメントの情報は、
警報メッセージカテゴリー、警報メッセージ識別子（ｍｅｓｓａｇｅＩｄｅｎｔｉｆｉｅｒ）、警報メッセージシリアル番号（ｓｅｒｉａｌＮｕｍｂｅｒ）及び警報メッセージセグメント番号（ｗａｒｎｉｎｇＭｅｓｓａｇｅＳｅｇｍｅｎｔＮｕｍｂｅｒ）のうちの１種又は複数種を含む請求項７に記載の方法。
【請求項１０】
コアネットワークからの警報情報を受信するように構成される受信モジュールと、
ＲＲＣ層メッセージ中に異なるタイプの警報情報に対応する警報更新識別子及び送信待ちの警報メッセージ数を設定することにより、セル中に放送している警報情報が変更されたか又は変更されようとするかをＵＥに報知し、又は、
前記ＲＲＣ層メッセージ中に、セルが放送している又は放送しようとする警報セグメントの情報を設定することにより、セル中に放送している警報情報が変更されたか又は変更されようとするかを前記ＵＥに報知するように構成される報知モジュールとを備える基地局。
【請求項１１】
前記警報情報は地震津波警報システム（ＥＴＷＳ）情報、商用移動警報システム（ＣＭＡＳ）情報又は公衆警報システム（ＰＷＳ）情報であり、及び／又は、
前記ＲＲＣ層メッセージはシステム情報ブロック及びページングメッセージを含む請求項１０に記載の基地局。
【請求項１２】
前記報知モジュールは、前記ＲＲＣ層メッセージ中に異なるタイプの警報情報に対応する警報更新識別子及び送信待ちの警報メッセージ数を設定した後、前記ＲＲＣ層メッセージ中に警報セグメントの情報を設定するように更に構成され、
前記警報セグメントの情報は、
警報メッセージカテゴリー、警報メッセージ識別子（ｍｅｓｓａｇｅＩｄｅｎｔｉｆｉｅｒ）、警報メッセージシリアル番号（ｓｅｒｉａｌＮｕｍｂｅｒ）及び警報メッセージセグメント番号（ｗａｒｎｉｎｇＭｅｓｓａｇｅＳｅｇｍｅｎｔＮｕｍｂｅｒ）のうちの１種又は複数種を含む請求項１１に記載の基地局。
【請求項１３】
前記報知モジュールは、
セル中に放送している警報情報には、警報情報の無から有への変化、警報情報の数の変化、警報情報の変化及び警報情報を有するシステム情報ブロックのスケジューリングの変化のうちの１種又は複数種が発生したかどうかを前記ＵＥに報知するように構成される請求項１０又は１１に記載の基地局。
【請求項１４】
基地局が送信した無線資源コントロールプロトコル（ＲＲＣ）層メッセージを受信するように構成され、そのうち、前記ＲＲＣ層メッセージ中に、セルが放送している又は放送しようとする警報セグメントの情報、又は、異なるタイプの警報情報に対応する一つ又は複数の警報更新識別子及び送信待ちの警報メッセージ数が設定される受信モジュールと、
前記ＲＲＣ層メッセージに基づいて警報情報が変更されたかを判断するように構成されるプロセスモジュールと、を備えるユーザ装置（ＵＥ）。
【請求項１５】
前記警報情報は地震津波警報システム（ＥＴＷＳ）情報、商用移動警報システム（ＣＭＡＳ）情報又は公衆警報システム（ＰＷＳ）情報であり、及び／又は、
前記ＲＲＣ層メッセージはシステム情報ブロック及びページングメッセージを含む請求項１４に記載のＵＥ。
【請求項１６】
前記プロセスモジュールは、
前記ＲＲＣ中における相応するタイプの警報情報に対応する一つ又は複数の警報更新識別子を読み込んで保存し、今回読み取ったものが前回読み取った警報更新識別子と合致しないと、警報情報が変更されたと認め、合致すると、警報情報に変更がないと認める、又は、
前記ＲＲＣ中における前記警報セグメントの情報を読み取り、前記情報に基づいて放送している警報セグメントが変更されたかどうかを判断するように構成される請求項１５に記載のＵＥ。
【請求項１７】
前記警報情報がＣＭＡＳ情報である時、前記プロセスモジュールは、前記ＲＲＣ層メッセージ中における前記警報メッセージ数に基づいてあらゆる警報情報を読み取ったかを判断し、読み込んでいないと、あらゆる警報情報を読み取るまで、引き続き読み取るように更に構成される請求項１６に記載のＵＥ。
【請求項１８】
前記警報セグメントの情報は、
警報メッセージカテゴリー、警報メッセージ識別子（ｍｅｓｓａｇｅＩｄｅｎｔｉｆｉｅｒ）、警報メッセージシリアル番号（ｓｅｒｉａｌＮｕｍｂｅｒ及び警報メッセージセグメント番号（ｗａｒｎｉｎｇＭｅｓｓａｇｅＳｅｇｍｅｎｔＮｕｍｂｅｒ）のうちの１種又は複数種を含む請求項１６に記載のＵＥ。
【発明の詳細な説明】
【技術分野】
【０００１】
本発明はロングタームエボリューションシステム中における警報技術に関し、特に警報制御情報の処理方法、警報情報の受信方法、端末及び基地局に関する。
【背景技術】
【０００２】
公衆警報システム（ＰＷＳ，Ｐｕｂｌｉｃ  Ｗａｒｎｉｎｇ  Ｓｙｓｔｅｍ）はユーザに公衆警報サービスを提供し、それは地震津波警報システム（ＥＴＷＳ，Ｅａｒｔｈｑｕａｋｅ  ａｎｄ  Ｔｓｕｎａｍｉ  Ｗａｒｎｉｎｇ  Ｓｙｓｔｅｍ）及び商用移動警報システム（ＣＭＡＳ，  Ｃｏｍｍｅｒｃｉａｌ  Ｍｏｂｉｌｅ  Ａｌｅｒｔ  Ｓｙｓｔｅｍ）の２部分からなる。ＥＴＷＳ警報システムは民衆に地震津波災害がすぐに来ること又は地震津波災害後の救援情報（例えば、避難場所の位置を通知する）を通知し、ＣＭＡＳは端末ユーザに公衆安全警報サービス（例えば森林火災、テロ攻撃等）を提供する。警報を受信したユーザは警報内容に基づいて措置を取って自分の命、財産の安全を保護する。現在の携帯電話はもっとも人々に接近するメディアであり、ＰＷＳはこの特徴を利用して人々が災難を避け又は災難による損失を減少することを助ける。
【０００３】
ロングタームエボリューションシステム（ＬＴＥ，Ｌｏｎｇ  Ｔｅｒｍ  Ｅｖｏｌｕｔｉｏｎ）はシステム情報ブロックタイプＳＩＢ１０（ＳｙｓｔｅｍＩｎｆｏｒｍａｔｉｏｎＢｌｏｃｋＴｙｐｅ１０）によりＥＴＷＳ主通知を送信し、ＳＩＢ１１（ＳｙｓｔｅｍＩｎｆｏｒｍａｔｉｏｎＢｌｏｃｋＴｙｐｅ１１）によりＥＴＷＳ補助通知を送信し、ＳＩＢ１２（ＳｙｓｔｅｍＩｎｆｏｒｍａｔｉｏｎＢｌｏｃｋＴｙｐｅ１２）によりＣＭＡＳ警報情報を送信し、そのうちＥＴＷＳ補助通知及びＣＭＡＳ警報はメッセージ長さが長すぎるので、いくつかのセグメントに分けた後、それぞれＳＩＢ１１及びＳＩＢ１２により送信する必要があり、ＳＩＢ１２は複数のＣＭＡＳ警報のメッセージ内容を送信し、複数の警報情報は異なる時間に送信され、送信過程中において異なる警報のＳＩＢ１２セグメントは重なりが許さず、すなわち一つの警報のすべてのＳＩＢ１２セグメントを送信し終わってから、次の一つのＣＭＡＳ警報情報のＳＩＢ１２セグメントを送信することができる。ＳＩＢ１１はＳＩＢ１２と類似し、差異は、ＳＩＢ１２が複数のＣＭＡＳ警報を送信し、ＳＩＢ１１が一つのみのＥＴＷＳ警報を送信することにある。
【発明の概要】
【発明が解決しようとする課題】
【０００４】
出願人は検討の結果、ＳＩＢ１１セグメント組及びＳＩＢ１２セグメント組はいずれも複数のサイクル送信する必要があり、ユーザ装置（ＵＥ，Ｕｓｅｒ  Ｅｑｕｉｐｍｅｎｔ）にキャッチしたＰＷＳ警報情報（以下、ＥＴＷＳ補助通知及びＣＭＡＳ警報をＰＷＳ警報と総称する）を繰り返して受信させ、ＵＥがその警報を受信完了すると、後に繰り返して受信したＰＷＳがいずれも無用となることを見出した。ＰＷＳ警報情報を繰り返して受信する過程中には下記のいくつかの問題がある。
【０００５】
１、無用な警報情報を受信し、ＵＥに電力を浪費させる。
【０００６】
２、ＣＭＡＳ警報システムは、ｅＮＢが同時に複数の警報情報を送信し且つ各警報情報の内容が最大でも９６００バイトであることを要求し、しかしながらプロトコルにおいては同時に送信する警報情報の上限を規定していない。仮にｅＮＢが１０個の警報情報を送信すると、最も極端な場合、これらの無用な警報情報は１０Ｋに近いメモリーを占め、これらの警報を処理することにチップ処理能力を使用する必要があり、これはＵＥのメモリー及びチップに対していずれも深刻な課題である。
【０００７】
３、３６４１３プロトコルはＰＷＳ機能に対して繰返し周期（Ｒｅｐｅａｔ  Ｐｅｒｉｏｄ）及び送信回数（Ｎｕｍｂｅｒ  ｏｆ  Ｂｒｏａｄｃａｓｔｓ  Ｒｅｑｕｅｓｔｅｄ）の概念を規定し、ｅＮＢは繰返し周期（Ｒｅｐｅａｔ  Ｐｅｒｉｏｄ）秒内おきにＰＷＳ警報情報を一サイクルセグメント送信する必要があり、ともに送信回数（Ｎｕｍｂｅｒ  ｏｆ  Ｂｒｏａｄｃａｓｔｓ  Ｒｅｑｕｅｓｔｅｄ）サイクル送信する。プロトコルは繰返し周期（Ｒｅｐｅａｔ  Ｐｅｒｉｏｄ）の値の範囲が１秒〜２１７−１秒（３６．４１時間）であると規定する。各ＰＷＳ警報情報に対して、ＵＥはその警報のすべてのＳＩＢ１１／ＳＩＢ１２セグメントを受信してから警報をユーザに表示し且つその警報に要求されるメモリーをリリースする必要がある。無線チャネル差又は測定間隔（ＧＡＰ）等の原因で、そのうちの一セグメント又は複数のセグメントが繰り返し送信過程に受信されていないことをもたらし、ＵＥは、すべての無用な警報セグメントを揃えるまで、これらの無用のデフォルメ警報を保存しなければならない。極端な場合、１０セグメントの警報であり、各警報内容が９６００バイトであり、繰返し周期は２１７−１秒であると仮定すると、１００Ｋに近いメモリーが３６．４１時間内にリリースされないことになり、長時間にわたりＵＥの正常サービスに影響をもたらす。
【課題を解決するための手段】
【０００８】
本発明の実施例は警報制御情報の処理方法、警報情報の受信方法、端末及び基地局を提供しており、ＵＥが無用な警報を繰り返して受信すること及びそれによる電気エネルギーの無駄、メモリーの無駄及びメモリーが長期的にリリースできないという問題を解決する。
【０００９】
本発明の実施例は警報制御情報の処理方法を提供しており、該方法は、
基地局がコアネットワークからの警報情報を受信すること、
前記基地局が無線資源コントロール（Ｒａｄｉｏ  Ｒｅｓｏｕｒｃｅ  Ｃｏｎｔｒｏｌ，  ＲＲＣ）層メッセージにより、セル中に放送（ブロードキャスト，Ｂｒｏａｄｃａｓｔ）している警報情報が変更されたか又は変更されようとするかをＵＥに報知することを含む。
【００１０】
好ましくは、前記警報情報はＥＴＷＳ情報、ＣＭＡＳ情報又はＰＷＳ情報であり、及び／又は、
前記ＲＲＣ層メッセージはシステム情報ブロック（Ｓｙｓｔｅｍ  Ｉｎｆｏｒｍａｔｉｏｎ  Ｂｌｏｃｋ，ＳＩＢ）及びページングメッセージ（Ｐａｇｉｎｇ）を含む。
【００１１】
好ましくは、前記基地局がＲＲＣ層メッセージにより、セル中に放送している警報情報が変更されたか又は変更されようとするかをＵＥに報知することは、
前記基地局が前記ＲＲＣ層メッセージ中に一つの更新識別子を設置し又は異なるタイプ警報情報に対応する警報に異なる更新識別子を設置することにより、セル中に放送している警報情報が変更されたか又は変更されようとするかを前記ＵＥに報知すること、又は、
前記基地局が前記ＲＲＣ層メッセージ中にセルが放送している又は放送しようとする警報セグメントの情報を設置することにより、セル中に放送している警報情報が変更されたか又は変更されようとするかを前記ＵＥに報知することを含む。
【００１２】
好ましくは、前記基地局が前記ＲＲＣ層メッセージ中に一つの更新識別子を設置し又は異なるタイプ警報情報に対応する警報に異なる更新識別子を設置することにより、セル中に放送している警報情報が変更されたか又は変更されようとするかを前記ＵＥに報知した後、前記方法は、
前記基地局が前記ＲＲＣ層メッセージ中に送信待ちの警報メッセージ数及び／又は警報セグメントの情報を設置することを更に含み、
前記警報セグメントの情報は
警報メッセージカテゴリー、警報メッセージ識別子、警報メッセージシリアル番号及び警報情報メッセージセグメント番号のうちの１種又は複数種を含む。
【００１３】
好ましくは、前記基地局がセル中に放送している警報情報が変更されたか又は変更されようとするかを前記ＵＥに報知することは、
前記基地局が、セル中に放送している警報情報には、警報情報の無から有への変化、警報情報の数の変化、警報情報の変化及び警報情報を有するシステム情報ブロックのスケジューリングの変化のうちの１種又は複数種が発生したかどうかを前記ＵＥに報知することを含む。
【００１４】
本発明の実施例は警報情報の受信方法を更に提供しており、該方法は、
ユーザ装置（ＵＥ）が、基地局が送信した無線資源コントロール（ＲＲＣ）層メッセージを受信し、そのうち、前記ＲＲＣ層メッセージ中に、セルが放送している又は放送しようとする警報セグメントの情報、更新識別子及び異なるタイプ警報情報に対応する一つ又は複数の警報更新識別子のうちの１種又は複数種が設置されることと、
前記ＵＥが、前記ＲＲＣ層メッセージに基づいて警報情報が変更されたかどうかを判断することと、を含む。
【００１５】
好ましくは、前記警報情報はＥＴＷＳ情報、ＣＭＡＳ情報又はＰＷＳ情報であり、及び／又は、前記ＲＲＣ層メッセージはシステム情報ブロック及びページングメッセージを含む。
【００１６】
好ましくは、前記ＵＥが前記ＲＲＣ層メッセージに基づいて警報情報が変更されたかどうかを判断することは、
前記ＵＥが前記ＲＲＣ中における前記更新識別子又は相応するタイプ警報情報に対応する一つ又は複数の警報更新識別子を読み込んで保存し、今回読み取ったものが前回読み取った更新識別子又は警報更新識別子と合致しないと、警報情報が変更されたと考え、合致すると、警報情報が変更されることがないと考えること、又は、
前記ＵＥは前記ＲＲＣ中における前記警報セグメントの情報を読み取り、前記情報に基づいて放送している警報セグメントが変更されたかどうかを判断することを含む。
【００１７】
好ましくは、前記ＲＲＣ層メッセージ中に送信待ちの警報メッセージ数をさらに設置し、
前記警報情報がＣＭＡＳ情報であるとき、前記ＵＥが対応する警報情報を読み取った後、前記方法は、
前記ＵＥは前記ＲＲＣ層メッセージ中における前記警報メッセージ数に基づいてあらゆる警報情報を読み取ったかを判断し、読み込んでいないと、あらゆる警報情報を読み取るまで、引き続き読み取ることを更に含む。
【００１８】
好ましくは、前記警報セグメントの情報は、
警報メッセージカテゴリー、警報メッセージ識別子、警報メッセージシリアル番号及び警報情報メッセージセグメント番号のうちの１種又は複数種を含む。
【００１９】
本発明の実施例は基地局を更に提供しており、該基地局は、
コアネットワークからの警報情報を受信するように構成される受信モジュール、
ＲＲＣ層メッセージにより、セル中に放送している警報情報が変更されたか又は変更されようとするかをＵＥに報知するように構成される報知モジュールを備える。
【００２０】
好ましくは、前記警報情報はＥＴＷＳ情報、ＣＭＡＳ情報又はＰＷＳ情報であり、及び／又は、
前記ＲＲＣ層メッセージはシステム情報ブロック及びページングメッセージを含む。
【００２１】
好ましくは、前記報知モジュールは、
前記ＲＲＣ層メッセージ中に一つの更新識別子を設定し又は異なるタイプ警報情報に対応する警報に異なる更新識別子を設定することによりセル中に放送している警報情報が変更されたか又は変更されようとするかを前記ＵＥに報知する、又は、
前記ＲＲＣ層メッセージ中にセルが放送している又は放送しようとする警報セグメントの情報を設置することによりセル中に放送している警報情報が変更されたか又は変更されようとするかを前記ＵＥに報知するように構成される。
【００２２】
好ましくは、前記報知モジュールは、前記ＲＲＣ層メッセージ中に一つの更新識別子を設置し又は異なるタイプ警報情報に対応する警報に異なる更新識別子を設定した後、前記ＲＲＣ層メッセージ中に送信待ちの警報メッセージ数及び／又は警報セグメントの情報を設置するように更に構成され、
前記警報セグメントの情報は、
警報メッセージカテゴリー、警報メッセージ識別子、警報メッセージシリアル番号及び警報情報メッセージセグメント番号のうちの１種又は複数種を含む。
【００２３】
好ましくは、前記報知モジュールは、
セル中に放送している警報情報には、警報情報の無から有への変化、警報情報の数の変化、警報情報の変化及び警報情報を有するシステム情報ブロックのスケジューリングの変化のうちの１種又は複数種が発生したかどうかを前記ＵＥに報知するように構成される。
【００２４】
本発明の実施例はＵＥを更に提供しており、該ＵＥは、
基地局が送信したＲＲＣ層メッセージを受信するように設置され、そのうち、前記ＲＲＣ層メッセージ中に、セルが放送している又は放送しようとする警報セグメントの情報、更新識別子及び異なるタイプ警報情報に対応する一つ又は複数の警報更新識別子のうちの１種又は複数種が設定される受信モジュールは、
前記ＲＲＣ層メッセージに基づいて警報情報が変更されたかを判断するように構成されるプロセスモジュールを備える。
【００２５】
好ましくは、前記警報情報はＥＴＷＳ情報、ＣＭＡＳ情報又はＰＷＳ情報であり、及び／又は、
前記ＲＲＣ層メッセージはシステム情報ブロック及びページングメッセージを含む。
【００２６】
好ましくは、前記プロセスモジュールは、
前記ＲＲＣ中における前記更新識別子又は相応するタイプ警報情報に対応する一つ又は複数の警報更新識別子を読み込んで保存し、今回読み取ったものが前回読み取った更新識別子又は警報更新識別子と合致しないと、警報情報が変更されたと考え、合致すると、警報情報が変更されることがないと考える、又は、
前記ＲＲＣ中における前記警報セグメントの情報を読み取り、前記情報に基づいて放送している警報セグメントが変更されたかどうかを判断するように構成される。
【００２７】
好ましくは、前記ＲＲＣ層メッセージ中に送信待ちの警報メッセージ数をさらに設定し、
前記警報情報がＣＭＡＳ情報である時、前記プロセスモジュールは、前記ＲＲＣ層メッセージ中における前記警報メッセージ数に基づいてあらゆる警報情報を読み取ったかを判断し、読み込んでいないと、あらゆる警報情報を読み取るまで、引き続き読み取るように更に構成される。
【００２８】
好ましくは、前記警報セグメントの情報は、
警報メッセージカテゴリー、警報メッセージ識別子、警報メッセージシリアル番号及び警報情報メッセージセグメント番号のうちの１種又は複数種を含む。
【発明の効果】
【００２９】
本発明の実施例中において、基地局はＲＲＣ層メッセージにより、警報情報が変更されたかをＵＥに通知し、それによりＵＥは受信したＲＲＣ層メッセージに基づいて対応する警報情報を受信するかを確定し、それにより、無用な警報を繰り返して受信することによる電気エネルギーの無駄、メモリーの無駄及びメモリーが長期的にリリースできないという問題を確実に回避することができる。
【図面の簡単な説明】
【００３０】
【図１】図１は本発明による基地局とＵＥの間において警報情報を送受信する実施例一のシグナリングフローチャートである。
【図２】図２は本発明による基地局とＵＥの間において警報情報を送受信する実施例二のシグナリングフローチャートである。
【図３】図３は本発明によるＵＥ側が警報情報を受信する実施例のフローチャートである。
【図４】図４は本発明による基地局の実施例の構造模式図である。
【図５】図５は本発明によるＵＥの実施例の構造模式図である。
【図６】図６は本発明による警報制御情報の処理システムの実施例の構造模式図である。
【発明を実施するための形態】
【００３１】
以下、図面を参照しながら本発明の実施例を詳細に説明する。ただし、衝突がない場合、本願における実施例及び実施例における特徴は互いに任意に組み合せることができる。
【００３２】
本発明の実施例は警報制御情報の処理方法を提供しており、該実施例は基地局側から記述し、該方法は、
基地局がコアネットワークからの警報情報を受信するステップ１１、
基地局はＲＲＣ層メッセージにより、現在のセル中に放送している警報情報が変更されたか又は変更されようとするかをＵＥに報知するステップ１２を含み、そのうち、該警報情報はＥＴＷＳ情報、ＣＭＡＳ情報又はＰＷＳ情報であってもよい。
【００３３】
該ＲＲＣ層メッセージはシステム情報ブロック及びページングメッセージを含み、該ステップ１２は、図１に示すように、前記基地局が前記ＲＲＣ層メッセージ中に一つの更新識別子を設定し又は異なるタイプ警報情報に対応する警報に異なる更新識別子を設定することにより現在のセル中に放送している警報情報が変更されたか又は変更されようとするかを前記ＵＥに報知し、又は、図２に示すように、前記基地局が、前記ＲＲＣ層メッセージ中に現在のセルが放送している又は放送しようとする警報セグメントの情報を設定することにより、現在のセル中に放送している警報情報が変更されたか又は変更されようとするかを前記ＵＥに報知し、そのうち、前記警報セグメントの情報は、警報メッセージカテゴリー、警報メッセージ識別子、警報メッセージシリアル番号及び警報情報メッセージセグメント番号のうちの１種又は複数種を含むことを含む。
【００３４】
さらに、図１中におけるＲＲＣ中に一つの更新識別子を設定し又は異なるタイプの警報情報に対応する警報に異なる更新識別子を設定した後、さらに前記ＲＲＣ層メッセージ中に送信待ちの警報メッセージ数を設定することができる。
【００３５】
好ましくは、前記基地局が現在のセル中に放送している警報情報に発生した変更は、警報情報の無から有への変化、警報情報の数の変化、警報情報の変化及び警報情報を有するシステム情報ブロックのスケジューリングの変化のうちの１種又は複数種を含むことを前記ＵＥに報知する。
【００３６】
上記警報制御情報の処理方法中において、基地局はＵＥにＲＲＣ層メッセージを送信することにより、ＵＥが該ＲＲＣ層メッセージに基づいて対応する警報情報を受信するかを確定すること可能とし、それにより、無用警報を繰り返して受信することによる電気エネルギーの無駄、メモリーの無駄及びメモリーが長期的にリリースできないという問題を回避する。
【００３７】
本発明の実施例は警報情報の受信方法を提供しており、該実施例はＵＥ側から記述し、該方法は、
ＵＥ基地局が送信したＲＲＣ層メッセージを受信するステップ２１、ＵＥは前記ＲＲＣ層メッセージに基づいて警報情報が変更されたかを判断するステップ２２を含み、そのうち、前記ＲＲＣ層メッセージ中に、現在のセルが放送している又は放送しようとする警報セグメントの情報、更新識別子及び異なるタイプ警報情報に対応する一つ又は複数の警報更新識別子のうちの１種又は複数種が設定される。
【００３８】
該ステップ２２は、前記ＵＥが前記ＲＲＣ中における前記更新識別子又は相応するタイプ警報情報に対応する一つ又は複数の警報更新識別子を読み込んで保存し、今回読み取ったものが前回読み取った更新識別子又は警報更新識別子と合致しないと、警報情報が変更されたと考え、合致すると、警報情報が変更されることがないと考え、又は、図２に示すように、前記ＵＥは前記ＲＲＣ中における前記警報セグメントの情報を読み取り、前記情報に基づいて現在放送している警報セグメントが変更されたかを判断することを含む。
【００３９】
さらに、図１中において、前記ＲＲＣ層メッセージ中に送信待ちの警報メッセージ数をさらに設定し、前記警報情報がＣＭＡＳ情報である時、前記ＵＥが対応する警報情報を読み取った後、前記方法は、図３に示すように、ＵＥが前記ＲＲＣ層メッセージ中における前記警報メッセージ数に基づいてあらゆる警報情報を読み取ったかを判断し、読み込んでいないと、あらゆる警報情報を読み取るまで、引き続き読み取ることをさらに含む。
【００４０】
上記警報情報の受信方法中において、ＵＥは受信したＲＲＣ層メッセージに基づいて対応する警報情報を受信するかを確定し、それにより、無用警報を繰り返して受信することによる電気エネルギーの無駄、メモリーの無駄及びメモリーが長期的にリリースできないという問題を確実に回避することができる。
【００４１】
以下、基地局及びＵＥインタラクションの角度から本発明の実施例を詳細に記述する。
【００４２】
実施例一
該実施例中において、ＥＴＷＳ警報が変更され、ｖａｌｕｅＴａｇ方式を用い、
前提条件：ＳＩＢ１中にｅｔｗｓ−ＶａｌｕｅＴａｇフィールドを設定し、ページングメッセージ（Ｐａｇｉｎｇ）中にｅｔｗｓ指示を予約し、該過程は、
ｅＮＢは現在送信待ちのＥＴＷＳ警報メッセージがなく、ｅＮＢはＥＴＷＳ警報Ａを受信し、警報ＡはＥＴＷＳ補助通知を含み、ｅＮＢは警報ＡをＳＩＢ１１−Ａ０、ＳＩＢ１１−Ａ１にセグメントするステップＳ１０１、
ｅＮＢはＰａｇｉｎｇ中にｅｔｗｓ指示情報を設定し、ｅＮＢはＰａｇｉｎｇを送信するステップＳ１０２、
ｅＮＢはＳＩＢ１中のスケジュールング情報リスト（ｓｃｈｅｄｕｌｉｎｇＩｎｆｏＬｉｓｔ）にＳＩＢ１１のスケジューリング情報を設定し、ＳＩＢ１中にｅｔｗｓ−ＶａｌｕｅＴａｇが１であるように設定するステップＳ１０３、
ｅＮＢはスケジューリング周期に従ってＳＩＢ１、ＳＩＢ１１−Ａ０、ＳＩＢ１１−Ａ１及びその他のシステム情報を送信するステップＳ１０４、
ＵＥは自機のＰａｇｉｎｇタイミングに従ってＰａｇｉｎｇを読み取り、Ｐａｇｉｎｇ中にｅｔｗｓ指示を見出すステップＳ１０５、
ＵＥはＳＩＢ１を読み取り、ｓｃｈｅｄｕｌｉｎｇＩｎｆｏＬｉｓｔからＳＩＢ１１のスケジューリング情報をキャッチし、ｅｔｗｓ−ＶａｌｕｅＴａｇを読み取り、自機に保存するｎｕｌｌと合致しないと判断するステップＳ１０６、
ＵＥはＳＩＢ１１スケジューリング情報に基づいてＳＩＢ１１−Ａ０、ＳＩＢ１１−Ａ１をキャッチし、ＵＥはＳＩＢ１１の読み取りを停止するステップＳ１０７、
ＵＥは自機のＰａｇｉｎｇタイミングに従ってＰａｇｉｎｇを読み取り、Ｐａｇｉｎｇ中にｅｔｗｓ指示を見出し、ＵＥはＳＩＢ１を読み取り、ｅｔｗｓ−ＶａｌｕｅＴａｇが１であると見出し且つその値を保存するステップＳ１０８、
ＵＥは、ｅｔｗｓ−ＶａｌｕｅＴａｇが前回読み取ったものと合致すると判断し、ＥＴＷＳが更新することがないと判断し、ＵＥはＳＩＢ１１を読み込まないステップＳ１０９、
警報メッセージＡが終了していない時、ｅＮＢはＥＴＷＳ警報Ｂを受信し、ＢはＥＴＷＳ補助通知を含み、ｅＮＢは警報ＢをＳＩＢ１１−Ｂ０，ＳＩＢ１１−Ｂ１，ＳＩＢ１１−Ｂ２にセグメントして警報情報Ａを被覆するステップＳ１１０、
ｅＮＢはＰａｇｉｎｇ中にｅｔｗｓ指示を設定し、ｅＮＢはＰａｇｉｎｇを送信するステップＳ１１１、
ｅＮＢはＳＩＢ１中のｓｃｈｅｄｕｌｉｎｇＩｎｆｏＬｉｓｔにＳＩＢ１１のスケジューリング情報を設定し、ＳＩＢ１中にｅｔｗｓ−ＶａｌｕｅＴａｇが２であるように設定するステップＳ１１２、
ｅＮＢはスケジューリング周期に従ってＳＩＢ１、ＳＩＢ１１−Ｂ０、ＳＩＢ１１−Ｂ１、ＳＩＢ１１−Ｂ２及びその他のシステム情報を送信するステップＳ１１３、
ＵＥは自機のＰａｇｉｎｇタイミングに従ってＰａｇｉｎｇを読み取り、Ｐａｇｉｎｇ中にｅｔｗｓ指示を見出すステップＳ１１４、
ＵＥはＳＩＢ１を読み取り、ｓｃｈｅｄｕｌｉｎｇＩｎｆｏＬｉｓｔからＳＩＢ１１スケジューリング情報をキャッチし、ＳＩＢ１からｅｔｗｓ−ＶａｌｕｅＴａｇが２であることをキャッチし、自機に保存するものと合致しないと判断するステップＳ１１５、
ＵＥはＳＩＢ１１スケジューリング情報に従ってＳＩＢ１１−Ｂ０、ＳＩＢ１１−Ｂ１、ＳＩＢ１１−Ｂ２をキャッチし、ＵＥはＳＩＢ１１の読み取りを停止するステップＳ１１６、
ＵＥはＳＩＢ１を読み取り、ＳＩＢ１中のｅｔｗｓ−ＶａｌｕｅＴａｇが２であることを見出し、自機に保存するものと合致すると判断し、ＵＥは警報情報を読み込まないステップＳ１１７を含む。
【００４３】
実施例二
該実施例中において、ＥＴＷＳ警報が変更され、ｖａｌｕｅＴａｇ方式を用い、
前提条件：Ｐａｇｉｎｇ中にｅｔｗｓ−ＶａｌｕｅＴａｇフィールドを設定し、Ｐａｇｉｎｇにｅｔｗｓ指示フィールドを予約し、該過程は、
ｅＮＢは現在送信待ちのＥＴＷＳ警報メッセージがなく、ｅＮＢはＥＴＷＳ警報Ａを受信し、警報ＡはＥＴＷＳ補助通知を含み、ｅＮＢは警報ＡをＳＩＢ１１−Ａ０，ＳＩＢ１１−Ａ１にセグメントするステップＳ２０１、
ｅＮＢはＰａｇｉｎｇ中にｅｔｗｓ−ＶａｌｕｅＴａｇが１であるように設定し、ｅｔｗｓ指示フィールドを設定し、ｅＮＢはＰａｇｉｎｇを送信するステップＳ２０２、
ｅＮＢはＳＩＢ１中のｓｃｈｅｄｕｌｉｎｇＩｎｆｏＬｉｓｔにＳＩＢ１１のスケジューリング情報を設定するステップＳ２０３、
ｅＮＢはスケジューリング周期に従ってＳＩＢ１、ＳＩＢ１１−Ａ０、ＳＩＢ１１−Ａ１及びその他のシステム情報を送信するステップＳ２０４、
ＵＥは自機のＰａｇｉｎｇタイミングに従ってＰａｇｉｎｇを読み取り、Ｐａｇｉｎｇ中にｅｔｗｓ指示フィールドを見出し、ｅｔｗｓ−ＶａｌｕｅＴａｇが１であることを見出し且つその値を保存し、自機に保存するｎｕｌｌと合致しないと判断するステップＳ２０５、
ＵＥはＳＩＢ１を読み取り、ｓｃｈｅｄｕｌｉｎｇＩｎｆｏＬｉｓｔからＳＩＢ１１スケジューリング情報をキャッチするステップＳ２０６、
ＵＥはＳＩＢ１１スケジューリング情報に基づいてＳＩＢ１１−Ａ０、ＳＩＢ１１−Ａ１をキャッチし、ＵＥはＳＩＢ１１の読み取りを停止するステップＳ２０７、
ＵＥは自機のＰａｇｉｎｇタイミングに従ってＰａｇｉｎｇを読み取り、Ｐａｇｉｎｇ中にｅｔｗｓ指示フィールドを見出し、ｅｔｗｓ−ＶａｌｕｅＴａｇが１であることを見出し且つその値を保存するステップＳ２０８、
ＵＥは、ｅｔｗｓ−ＶａｌｕｅＴａｇが前回読み取ったものと合致すると判断し、ＥＴＷＳが更新することがないと判断し、ＵＥはＳＩＢ１１を読み込まないステップＳ２０９、
警報メッセージＡが終了していない時、ｅＮＢはＥＴＷＳ警報Ｂを受信し、警報ＢはＥＴＷＳ補助通知を含み、ｅＮＢは警報ＢをＳＩＢ１１−Ｂ０，ＳＩＢ１１−Ｂ１，ＳＩＢ１１−Ｂ２にセグメントして警報情報Ａを被覆するステップＳ２１０、
ｅＮＢはＰａｇｉｎｇ中のｅｔｗｓ指示フィールドを設定し、ｅｔｗｓ−ＶａｌｕｅＴａｇが２であるように設定し、ｅＮＢはＰａｇｉｎｇを送信するステップＳ２１１、
ｅＮＢはＳＩＢ１中のｓｃｈｅｄｕｌｉｎｇＩｎｆｏＬｉｓｔにＳＩＢ１１のスケジューリング情報を設定するステップＳ２１２、
ｅＮＢはスケジューリング周期に従ってＳＩＢ１、ＳＩＢ１１−Ｂ０、ＳＩＢ１１−Ｂ１、ＳＩＢ１１−Ｂ２及びその他のシステム情報を送信するステップＳ２１３、
ＵＥは自機のＰａｇｉｎｇタイミングに従ってＰａｇｉｎｇを読み取り、Ｐａｇｉｎｇ中にｅｔｗｓ指示フィールドを設定し、ｅｔｗｓ−ＶａｌｕｅＴａｇが２であることを見出し且つその値を保存し、ＵＥは自機に保存するｅｔｗｓ−ＶａｌｕｅＴａｇが１であることと合致しないと判断するステップＳ２１４、
ＵＥはＳＩＢ１を読み取り、ｓｃｈｅｄｕｌｉｎｇＩｎｆｏＬｉｓｔからＳＩＢ１１スケジューリング情報をキャッチするステップＳ２１５、
ＵＥはＳＩＢ１１スケジューリング情報に従ってＳＩＢ１１−Ｂ０、ＳＩＢ１１−Ｂ１、ＳＩＢ１１−Ｂ２をキャッチし、ＵＥはＳＩＢ１１の読み取りを停止するステップＳ２１６、
ＵＥは自機のＰａｇｉｎｇタイミングに従ってＰａｇｉｎｇを読み取り、Ｐａｇｉｎｇ中にｅｔｗｓ−ＶａｌｕｅＴａｇが２であることを見出し、自機に保存するものと合致すると判断し、ＵＥは警報情報を読み込まないステップＳ２１７を含む。
【００４４】
実施例三
該実施例中において、ＣＭＡＳ警報が変更され、ｖａｌｕｅＴａｇ＋ｕｎｆｉｎｉｓｈｅｄＣｍａｓＭｅｓｓａｇｅＮｕｍｂｅｒ方式を用い、
前提条件：Ｐａｇｉｎｇ中にｃｍａｓ−ＶａｌｕｅＴａｇフィールドを設定してｃｍａｓ指示フィールドを被覆し、ＳＩＢ１中にｕｎｆｉｎｉｓｈｅｄＣｍａｓＭｅｓｓａｇｅＮｕｍｂｅｒフィールドを設定し、該過程は、
ｅＮＢは警報Ａ及びＢを送信していて、該警報はＳＩＢ１２−Ａ０、ＳＩＢ１２−Ａ１、ＳＩＢ１２−Ｂ０、ＳＩＢ１２−Ｂ１にセグメントされ、ｃｍａｓ−ＶａｌｕｅＴａｇは２であるステップＳ３０１、
ｅＮＢは新しいＣＭＡＳ警報メッセージＣ（該警報がＳＩＢ１２−Ｃ０、ＳＩＢ１２−Ｃ１にセグメントされる）を受信し、警報メッセージＢを代替し、すなわちｅＮＢは警報Ａ及びＣを送信するステップＳ３０２、
ｅＮＢはＰａｇｉｎｇ中にｃｍａｓ−ＶａｌｕｅＴａｇが３であるように設定し、ｅＮＢはＰａｇｉｎｇを送信するステップＳ３０３、
ｅＮＢはＳＩＢ１中のｓｃｈｅｄｕｌｉｎｇＩｎｆｏＬｉｓｔにＳＩＢ１２のスケジューリング情報を設定し、ｕｎｆｉｎｉｓｈｅｄＣｍａｓＭｅｓｓａｇｅＮｕｍｂｅｒが２であるように設定するステップＳ３０４、
ｅＮＢはスケジューリング周期に従ってＳＩＢ１、ＳＩＢ１２−Ａ０、ＳＩＢ１２−Ａ１、ＳＩＢ１２−Ｃ０、ＳＩＢ１２−Ｃ１及びその他システム情報を送信するステップＳ３０５、
ＵＥはＰａｇｉｎｇを読み取り、ｃｍａｓ−ＶａｌｕｅＴａｇが３であり、自機に保存するｃｍａｓ−ＶａｌｕｅＴａｇが２であることと合致しないと判断し、ＵＥはＣＭＡＳの更新が発生したと分かり、ＵＥは新しいｃｍａｓ−ＶａｌｕｅＴａｇを保存するステップＳ３０６、
ＵＥはＳＩＢ１を読み取り、ｓｃｈｅｄｕｌｉｎｇＩｎｆｏＬｉｓｔからＳＩＢ１２スケジューリング情報をキャッチし、ｕｎｆｉｎｉｓｈｅｄＣｍａｓＭｅｓｓａｇｅＮｕｍｂｅｒが２であることを読み取るステップＳ３０７、
ＵＥはＳＩＢ１２スケジューリング情報に従ってＳＩＢ１２−Ａ０、ＳＩＢ１２−Ａ１、ＳＩＢ１２−Ｃ０、ＳＩＢ１２−Ｃ１を読み込み、チャネル品質が悪い又はＧＡＰ等の原因で、ＵＥはＳＩＢ１２−Ａ０、ＳＩＢ１２−Ａ１、ＳＩＢ１２−Ｃ０のみを読み取り、ＳＩＢ１２−Ｃ１を読み込んでいなく、ＵＥはｕｎｆｉｎｉｓｈｅｄＣｍａｓＭｅｓｓａｇｅＮｕｍｂｅｒが２であることに基づいて、さらに次のサイクルの警報送信中に警報情報Ｃを読み取る必要があると判断するステップＳ３０８、
ＵＥはＳＩＢ１２スケジューリング情報に従ってＳＩＢ１２−Ａ０、ＳＩＢ１２−Ａ１、ＳＩＢ１２−Ｃ０、ＳＩＢ１２−Ｃ１を読み込み、警報情報Ｃを補完し、ｕｎｆｉｎｉｓｈｅｄＣｍａｓＭｅｓｓａｇｅＮｕｍｂｅｒが２であることに基づいてＳＩＢ１２の読み取りを停止するステップＳ３０９、
ＵＥは自機のＰａｇｉｎｇタイミングに従ってＰａｇｉｎｇを読み取り、Ｐａｇｉｎｇ中のｃｍａｓ−ＶａｌｕｅＴａｇが３であると見出し且つその値を保存するステップＳ３１０、
ＵＥはｃｍａｓ−ＶａｌｕｅＴａｇが前回読み取ったものと合致すると判断し、ＣＭＡＳが更新することがないと判断し、ＵＥはＳＩＢ１２を読み込まないステップＳ３１１、を含む。
【００４５】
実施例四
該実施例中において、ＣＭＡＳ警報が変更され、ｖａｌｕｅＴａｇ＋ｕｎｆｉｎｉｓｈｅｄＣｍａｓＭｅｓｓａｇｅＮｕｍｂｅｒ方式を用い、
前提条件：ＳＩＢ１中にｃｍａｓ−ＶａｌｕｅＴａｇフィールド及びｕｎｆｉｎｉｓｈｅｄＣｍａｓＭｅｓｓａｇｅＮｕｍｂｅｒフィールドを設定し、Ｐａｇｉｎｇ中にｃｍａｓ指示を予約し、該過程は、
ｅＮＢは警報Ａ及びＢを送信し、該警報はＳＩＢ１２−Ａ０、ＳＩＢ１２−Ａ１、ＳＩＢ１２−Ｂ０、ＳＩＢ１２−Ｂ１にセグメントされるステップＳ４０１、
ｅＮＢは新しいＣＭＡＳ警報メッセージＣ（該警報がＳＩＢ１２−Ｃ０、ＳＩＢ１２−Ｃ１にセグメントされる）を受信し、警報メッセージＢを代替し、すなわちｅＮＢは警報Ａ及びＣを送信するステップＳ４０２、
ｅＮＢはＣＭＡＳがｃｍａｓ指示（ｃｍａｓ−Ｉｎｄｉｃａｔｉｏｎ）を指示するように設定し、ｅＮＢはＰａｇｉｎｇを送信するステップＳ４０３、
ｅＮＢはＳＩＢ１中のｓｃｈｅｄｕｌｉｎｇＩｎｆｏＬｉｓｔにＳＩＢ１２のスケジューリング情報を設定し、ｕｎｆｉｎｉｓｈｅｄＣｍａｓＭｅｓｓａｇｅＮｕｍｂｅｒが２であるように設定し、ｃｍａｓ−ＶａｌｕｅＴａｇが３であるように設定するステップＳ４０４、
ｅＮＢはスケジューリング周期に従ってＳＩＢ１、ＳＩＢ１２−Ａ０、ＳＩＢ１２−Ａ１、ＳＩＢ１２−Ｃ０、ＳＩＢ１２−Ｃ１及びその他システム情報を送信するステップＳ４０５、
ＵＥはＰａｇｉｎｇを読み取り、そのうちＣＭＡＳ警報を指示するｃｍａｓ指示（ｃｍａｓ−Ｉｎｄｉｃａｔｉｏｎ）を見出すステップＳ４０６、
ＵＥはＳＩＢ１を読み取り、ｓｃｈｅｄｕｌｉｎｇＩｎｆｏＬｉｓｔからＳＩＢ１２スケジューリング情報をキャッチし、ｕｎｆｉｎｉｓｈｅｄＣｍａｓＭｅｓｓａｇｅＮｕｍｂｅｒが２であることを読み取り、ｃｍａｓ−ＶａｌｕｅＴａｇが３であることを読み取り、自機に保存するｃｍａｓ−ＶａｌｕｅＴａｇが２であることと合致しないと判断し、ＵＥはＳＩＢ１２を読み取るステップＳ４０７、
ＵＥはＳＩＢ１２スケジューリング情報に従ってＳＩＢ１２−Ａ０、ＳＩＢ１２−Ａ１、ＳＩＢ１２−Ｃ０、ＳＩＢ１２−Ｃ１を読み込み、チャネル品質が悪い又はＧＡＰ等の原因で、ＵＥはＳＩＢ１２−Ａ０、ＳＩＢ１２−Ａ１、ＳＩＢ１２−Ｃ０のみを読み取り、ＳＩＢ１２−Ｃ１を読み込んでいなく、ＵＥはｕｎｆｉｎｉｓｈｅｄＣｍａｓＭｅｓｓａｇｅＮｕｍｂｅｒが２であることに基づいて、さらに次のサイクルの警報送信中に警報情報Ｃを読み取る必要があると判断するステップＳ４０８、
ＵＥはＳＩＢ１２スケジューリング情報に従ってＳＩＢ１２−Ａ０、ＳＩＢ１２−Ａ１、ＳＩＢ１２−Ｃ０、ＳＩＢ１２−Ｃ１を読み込み、警報情報Ｃを補完し、ｕｎｆｉｎｉｓｈｅｄＣｍａｓＭｅｓｓａｇｅＮｕｍｂｅｒが２であることに基づいてＳＩＢ１２の読み取りを停止するステップＳ４０９、
ＵＥはＳＩＢ１を読み取り、ＳＩＢ１中にｃｍａｓ−ＶａｌｕｅＴａｇが３であることを見出し且つその値を保存するステップＳ４１０、
ＵＥはｃｍａｓ−ＶａｌｕｅＴａｇが前回読み取ったものと合致すると判断し、ＣＭＡＳが更新することがないと判断し、ＵＥはＳＩＢ１２を読み込まないステップＳ４１１を含む。
【００４６】
実施例五
該実施例中において、ＥＴＷＳ、ＣＭＡＳがともに変更され、
前提条件：Ｐａｇｉｎｇ中にｅｔｗｓ指示及びｃｍａｓ指示を予約し、ＳＩＢ１中にｅｔｗｓ−ｖａｌｕｅｔａｇ、ｃｍａｓ−Ｖａｌｕｅｔａｇ及びｕｎｆｉｎｉｓｈｅｄＣｍａｓＭｅｓｓａｇｅＮｕｍｂｅｒを増加し、該過程は、
ｅＮＢはＣＭＡＳ警報Ａ及びＢを送信していて、２本のＣＭＡＳ警報はＳＩＢ１２−Ａ０、ＳＩＢ１２−Ａ１、ＳＩＢ１２−Ｂ０、ＳＩＢ１２−Ｂ１にセグメントされ、ｅＮＢはＥＴＷＳ警報Ｓを送信していて、該ＥＴＷＳ警報はＳＩＢ１１−Ｓ１，ＳＩＢ１１−Ｓ２にセグメントされ、この時、ＳＩＢ１中のｃｍａｓ−ＶａｌｕｅＴａｇが２、ｅｔｗｓ−ＶａｌｕｅＴａｇが２であるステップＳ５０１、
ｅＮＢは新しいＣＭＡＳ警報メッセージＣ（該警報がＳＩＢ１２−Ｃ０、ＳＩＢ１２−Ｃ１にセグメントされる）を受信し、警報メッセージＢを代替し、ｅＮＢはＥＴＷＳ警報Ｄ（該警報がＳＩＢ１１−Ｄ０、ＳＩＢ１１−Ｄ１にセグメントされる）を受信し、警報Ｓを代替し、ｅＮＢはＣＭＡＳ警報Ａ、Ｃ及びＥＴＷＳ警報Ｄ（ＳＩＢ１１−Ｄ０、ＳＩＢ１１−Ｄ１、ＳＩＢ１２−Ａ０、ＳＩＢ１２−Ａ１、ＳＩＢ１２−Ｃ０、ＳＩＢ１２−Ｃ１）を送信するステップＳ５０２、
ｅＮＢはＣＭＡＳ指示（ｃｍａｓ−Ｉｎｄｉｃａｔｉｏｎ）及びＥＴＷＳ指示（ｅｔｗｓ−Ｉｎｄｉｃａｔｉｏｎｅ）を設定し、ｅＮＢはＰａｇｉｎｇを送信するステップＳ５０３、
ｅＮＢはＳＩＢ１中のｓｃｈｅｄｕｌｉｎｇＩｎｆｏＬｉｓｔにＳＩＢ１１、ＳＩＢ１２のスケジューリング情報を設定し、ｃｍａｓ−ＶａｌｕｅＴａｇが３であるように設定し、ｅｔｗｓ−ＶａｌｕｅＴａｇが３であるように設定し、ｕｎｆｉｎｉｓｈｅｄＣｍａｓＭｅｓｓａｇｅＮｕｍｂｅｒが２であるように設定するステップＳ５０４、
ｅＮＢはスケジューリング周期に従ってＳＩＢ１、ＳＩＢ１１−Ｄ０、ＳＩＢ１１−Ｄ１、ＳＩＢ１２−Ａ０、ＳＩＢ１２−Ａ１、ＳＩＢ１２−Ｃ０、ＳＩＢ１２−Ｃ１及びその他システム情報を送信するステップＳ５０５、
ＵＥはＰａｇｉｎｇを読み取り、その中にｃｍａｓ指示（ｃｍａｓ−Ｉｎｄｉｃａｔｉｏｎ）及びｅｔｗｓ指示（ｅｔｗｓ−Ｉｎｄｉｃａｔｉｏｎ）を見出すステップＳ５０６、
ＵＥはＳＩＢ１を読み取り、ｓｃｈｅｄｕｌｉｎｇＩｎｆｏＬｉｓｔからＳＩＢ１１及びＳＩＢ１２スケジューリング情報をキャッチし、ｅｔｗｓ−ＶａｌｕｅＴａｇが３であることを読み取り、自機に保存するｅｔｗｓ−ＶａｌｕｅＴａｇが２であることと合致せず、ＵＥはＳＩＢ１１を読み取り、ｕｎｆｉｎｉｓｈｅｄＣｍａｓＭｅｓｓａｇｅＮｕｍｂｅｒが２であることを読み取り、ｃｍaｓ−ＶａｌｕｅＴａｇが３であることを読み取り、自機に保存するｃｍａｓ−ＶａｌｕｅＴａｇが２であることと合致せず、ＵＥはＳＩＢ１２を読み取るステップＳ５０７、
ＵＥはＳＩＢ１１及びＳＩＢ１２スケジューリング情報に従ってＳＩＢ１１−Ｄ０、ＳＩＢ１１−Ｄ１、ＳＩＢ１２−Ａ０、ＳＩＢ１２−Ａ１、ＳＩＢ１２−Ｃ０、ＳＩＢ１２−Ｃ１を読み込み、チャネル品質が悪い又はＧＡＰ等の原因で、ＵＥはＳＩＢ１１−Ｄ０、ＳＩＢ１２−Ａ０、ＳＩＢ１２−Ａ１、ＳＩＢ１２−Ｃ０のみを読み取り、ＳＩＢ１１−Ｄ１、ＳＩＢ１２−Ｃ１を読み込んでいなく、ＵＥはｕｎｆｉｎｉｓｈｅｄＣｍａｓＭｅｓｓａｇｅＮｕｍｂｅｒが２であることに基づいて、さらに次のサイクルの警報送信中にＣＭＡＳ警報情報Ｃ及びＥＴＷＳ警報情報Ｄを読み取る必要があると判断するステップＳ５０８、
ＵＥがＳＩＢ１１スケジューリング情報に基づいてＳＩＢ１１−Ｄ０、ＳＩＢ１１−Ｄ１を読み込み、警報情報Ｄを補完し、ＳＩＢ１１の読み取りを停止し、ＵＥはＳＩＢ１２スケジューリング情報に従ってＳＩＢ１２−Ａ０、ＳＩＢ１２−Ａ１、ＳＩＢ１２−Ｃ０、ＳＩＢ１２−Ｃ１を読み込み、警報情報Ｃを補完し、ｕｎｆｉｎｉｓｈｅｄＣｍａｓＭｅｓｓａｇｅＮｕｍｂｅｒが２であることに基づいてＳＩＢ１２の読み取りを停止するステップＳ５０９、
ＵＥはＳＩＢ１を読み取り、ＳＩＢ１中のｅｔｗｓ−ＶａｌｕｅＴａｇが３であり、ｃｍａｓ−ＶａｌｕｅＴａｇが３であると見出し且つその値を保存するステップＳ５１０、
ＵＥはｅｔｗｓ−ＶａｌｕｅＴａｇ、ｃｍａｓ−ＶａｌｕｅＴａｇが前回読み取ったものと合致しないことを発見し、ＥＴＷＳ及びＣＭＡＳが更新しないと判断し、ＵＥはＳＩＢ１１及びＳＩＢ１２を読み込まないステップＳ５１１を含む。
【００４７】
実施例六
該実施例中において、ＳＩＢ１中にＭＡＳメッセージ詳細情報を設定し、
前提条件：Ｐａｇｉｎｇ中にｅｔｗｓ指示及びｃｍａｓ指示を予約し、ＳＩＢ１中に４つの組、つまり、ＣＭＡＳ識別子、ｃｍａｓ警報メッセージ識別子（ｍｅｓｓａｇｅＩｄｅｎｔｉｆｉｅｒ）、ｃｍａｓ警報メッセージシリアル番号（ｓｅｒｉａｌＮｕｍｂｅｒ）、ｃｍａｓ警報情報メッセージセグメント番号（ＭｅｓｓａｇｅＳｅｇｍｅｎｔＮｕｍｂｅｒ）を増加し、該過程は、
ｅＮＢには現在、送信待ちのＣＭＡＳ警報情報を有し、ｅＮＢはＣＭＡＳ警報情報Ａ及びＢを受信したステップＳ６０１、
ｅＮＢは警報Ａ及びＢを送信し、該警報はＳＩＢ１２−Ａ０、ＳＩＢ１２−Ａ１、ＳＩＢ１２−Ｂ０、ＳＩＢ１２−Ｂ１にセグメントされるステップＳ６０２、
ｅＮＢはＣＭＡＳ指示（ｃｍａｓ−Ｉｎｄｉｃａｔｉｏｎ）を設定し、ｅＮＢはＰａｇｉｎｇを送信するステップＳ６０３、
ｅＮＢはＳＩＢ１中のｓｃｈｅｄｕｌｉｎｇＩｎｆｏＬｉｓｔにＳＩＢ１２のスケジューリング情報を設定するステップＳ６０４、
ｅＮＢがセグメントを送信するごとに、ＳＩＢ１中に該セグメントの警報メッセージカテゴリー、警報メッセージ識別子、警報メッセージシリアル番号、警報情報メッセージセグメント番号を設定するステップＳ６０５、
ＵＥはＳＩＢ１を読み取り、ＳＩＢ１中における警報メッセージカテゴリー、警報メッセージ識別子、警報メッセージシリアル番号、警報情報メッセージセグメント番号をＵＥがまだ読み取ったことがない場合、ＵＥは該警報セグメントを読み取り、読み取ったことがある場合、ＵＥは該警報セグメントを読み込まないステップＳ６０６、
ＵＥは全部のセグメントＳＩＢ１２−Ａ０、ＳＩＢ１２−Ａ１、ＳＩＢ１２−Ｂ０、ＳＩＢ１２−Ｂ１を読み取った後、警報の読み取りを停止するステップＳ６０７、
ＵＥはＳＩＢ１を読み取り、その中に指示する警報をＵＥは読み取ったと判断し、ＵＥは警報を読み込まないステップＳ６０８を含む。
【００４８】
実施例七
該実施例中において、ＳＩＢ１中にＣＭＡＳ及びＥＴＷＳメッセージ詳細情報を設定し、
前提条件：Ｐａｇｉｎｇ中にｅｔｗｓ指示及びｃｍａｓ指示を予約し、ＳＩＢ１中にそれぞれ４つの組、つまりＣＭＡＳ識別子、ｃｍａｓ警報メッセージ識別子（ｍｅｓｓａｇｅＩｄｅｎｔｉｆｉｅｒ）、ｃｍａｓ警報メッセージシリアル番号（ｓｅｒｉａｌＮｕｍｂｅｒ）、ｃｍａｓ警報情報メッセージセグメント番号（ＭｅｓｓａｇｅＳｅｇｍｅｎｔＮｕｍｂｅｒ）、ＥＴＷＳ識別子、ｅｔｗｓ警報メッセージ識別子（ｍｅｓｓａｇｅＩｄｅｎｔｉｆｉｅｒ）、ｅｔｗｓ警報メッセージシリアル番号（ｓｅｒｉａｌＮｕｍｂｅｒ）、ｅｔｗｓ警報情報メッセージセグメント番号（ＭｅｓｓａｇｅＳｅｇｍｅｎｔＮｕｍｂｅｒ）を増加し、該過程は、
ｅＮＢには現在、送信待ちのＣＭＡＳ及びＥＴＷＳ警報情報を有し、ｅＮＢはＣＭＡＳ警報情報Ａ及びＢ，ＥＴＷＳ警報情報Ｃを受信したステップＳ７０１、
ｅＮＢはＣＭＡＳ警報Ａ及びＢを送信し、該警報はＳＩＢ１２−Ａ０、ＳＩＢ１２−Ａ１、ＳＩＢ１２−Ｂ０、ＳＩＢ１２−Ｂ１にセグメントされ、ｅＮＢはＥＴＷＳ警報Ｃを送信し、該警報はＳＩＢ１１−Ｃ０、ＳＩＢ１２−Ｃ１にセグメントされるステップＳ７０２、
ｅＮＢはＣＭＡＳ指示（ｃｍａｓ−Ｉｎｄｉｃａｔｉｏｎ）を設定し、ＥＴＷＳ指示（ｅｔｗｓ−Ｉｎｄｉｃａｔｉｏｎ）を設定し、ｅＮＢはＰａｇｉｎｇを送信するステップＳ７０３、
ｅＮＢはＳＩＢ１中のｓｃｈｅｄｕｌｉｎｇＩｎｆｏＬｉｓｔにＳＩＢ１１及びＳＩＢ１２のスケジューリング情報を設定するステップＳ７０４、
ｅＮＢがＥＴＷＳセグメントを送信するごとに、ＳＩＢ１中に該セグメントの警報メッセージカテゴリー、警報メッセージ識別子、警報メッセージシリアル番号、警報情報メッセージセグメント番号を設定し、ｅＮＢがＣＭＡセグメントを送信するごとに、ＳＩＢ１中に該セグメントの警報メッセージカテゴリー、警報メッセージ識別子、警報メッセージシリアル番号、警報情報メッセージセグメント番号を設定するステップＳ７０５、
ＵＥはＳＩＢ１を読み取り、ＳＩＢ１中におけるｅｔｗｓ警報メッセージカテゴリー、ｅｔｗｓ警報メッセージ識別子、ｅｔｗｓ警報メッセージシリアル番号、ｅｔｗｓ警報情報メッセージセグメント番号をＵＥは読み取ったことがない場合、ＵＥは該ｅｔｗｓ警報セグメントを読み取り、読み取ったことがある場合、ＵＥは該ｅｔｗｓ警報セグメントを読み込まず、ＳＩＢ１中におけるｃｍａｓ警報メッセージカテゴリー、ｃｍａｓ警報メッセージ識別子、ｃｍａｓ警報メッセージシリアル番号、ｃｍａｓ警報情報メッセージセグメント番号をＵＥは読み取ったことがない場合、ＵＥは該ｃｍａｓ警報セグメントを読み取り、読み取ったことがある場合、ＵＥは該ｃｍａｓ警報セグメントを読み込まないステップＳ７０６、
ＵＥは全部のＣＭＡＳセグメントＳＩＢ１２−Ａ０、ＳＩＢ１２−Ａ１、ＳＩＢ１２−Ｂ０、ＳＩＢ１２−Ｂ１を読み取った後、ＣＭＡＳ警報の読み取りを停止し、ＵＥは全部のＥＴＷＳセグメントＳＩＢ１１−Ｃ０、ＳＩＢ１１−Ｃ１を読み取った後、ＥＴＷＳ警報の読み取りを停止するステップＳ７０７、
ＵＥはＳＩＢ１を読み取り、その中におけるＥＴＷＳ警報をＵＥは読み取ったことがあると、ＵＥはＥＴＷＳ警報を読み込まず、その中におけるＣＭＡＳ警報をＵＥが読み取ったことがあると、ＵＥはＣＭＡＳ警報を読み込まないステップＳ７０８を含む。
【００４９】
図４は、本発明の基地局実施例の構造模式図であり、該基地局は受信モジュール４１及び報知モジュール４２を備え、そのうち、
受信モジュール４１は、コアネットワークからの警報情報を受信するように構成され、
報知モジュール４２は、無線資源コントロール（ＲＲＣ）層メッセージにより現在のセル中に放送している警報情報が変更されたか又は変更されようとするかをユーザ装置（ＵＥ）に報知するように構成される。
【００５０】
そのうち、上記警報情報は地震津波警報システム（ＥＴＷＳ）情報、商用移動警報システム（ＣＭＡＳ）情報又は公衆警報システム（ＰＷＳ）情報であり、上記ＲＲＣ層メッセージはシステム情報ブロック及びページングメッセージを含む。
【００５１】
好ましくは、前記報知モジュール４２は、前記ＲＲＣ層メッセージ中に一つの更新識別子を設定し又は異なるタイプの警報情報に対応する警報に異なる更新識別子を設定することにより現在のセル中に放送している警報情報が変更されたか又は変更されようとするかを前記ＵＥに報知する、又は、前記ＲＲＣ層メッセージ中に現在のセルが放送している又は放送しようとする警報セグメントの情報を設定することにより現在のセル中に放送している警報情報が変更されたか又は変更されようとするかを前記ＵＥに報知するように構成され、そのうち、前記警報セグメントの情報は、警報メッセージカテゴリー、警報メッセージ識別子、警報メッセージシリアル番号及び警報情報メッセージセグメント番号のうちの１種又は複数種を含む。
【００５２】
さらに、前記報知モジュール４２は、前記ＲＲＣ層メッセージ中に一つの更新識別子を設定し又は異なるタイプの警報情報に対応する警報に異なる更新識別子を設定した後、前記ＲＲＣ層メッセージ中に送信待ちの警報メッセージ数及び／又は警報セグメントの情報を設定するように更に構成される。
【００５３】
好ましくは、前記報知モジュール４２は、現在のセル中に放送している警報情報には、警報情報の無から有への変化、警報情報の数の変化、警報情報の変化及び警報情報を有するシステム情報ブロックのスケジューリングの変化のうちの１種又は複数種が発生したかどうかを前記ＵＥに報知するように構成される。
【００５４】
上記基地局は、ＵＥにＲＲＣ層メッセージを送信することにより、ＵＥが該ＲＲＣ層メッセージに基づいて対応する警報情報を受信するかを確定することができ、それにより、無用な警報を繰り返して受信することによる電気エネルギーの無駄、メモリーの無駄及びメモリーが長期的にリリースできない問題を回避する。
【００５５】
図５は、本発明によるＵＥの実施例の構造模式図であり、該ＵＥは受信モジュール５１及びプロセスモジュール５２を備え、そのうち、
受信モジュール５１は、基地局が送信した無線資源コントロール（ＲＲＣ）層メッセージを受信するように構成され、そのうち、前記ＲＲＣ層メッセージ中に、現在のセルが放送している又は放送しようとする警報セグメントの情報、更新識別子及び異なるタイプ警報情報に対応する一つ又は複数の警報更新識別子のうちの１種又は複数種が設定され、
プロセスモジュール５２は、前記ＲＲＣ層メッセージに基づいて警報情報が変更されたかを判断するように構成される。
【００５６】
そのうち、上記警報情報はＥＴＷＳ情報、ＣＭＡＳ情報又はＰＷＳ情報であり、上記ＲＲＣ層メッセージはシステム情報ブロック及びページングメッセージを含む。
【００５７】
好ましくは、前記プロセスモジュール５２は、前記ＲＲＣ中における前記更新識別子又は相応するタイプ警報情報に対応する一つ又は複数の警報更新識別子を読み込んで保存し、今回読み取ったものが前回読み取った更新識別子又は警報更新識別子と合致しないと、警報情報が変更されたと考え、合致すると、警報情報が変更されることがないと考える、又は、前記ＲＲＣ中における前記警報セグメントの情報を読み取り、前記情報に基づいて現在放送している警報セグメントが変更されたかを判断するように構成される。そのうち、警報セグメントの情報は、警報メッセージカテゴリー、警報メッセージ識別子、警報メッセージシリアル番号及び警報情報メッセージセグメント番号のうちの１種又は複数種を含む。
【００５８】
さらに、前記ＲＲＣ層メッセージ中に送信待ちの警報メッセージ数をさらに設定し、前記警報情報がＣＭＡＳ情報である時、前記プロセスモジュール５２は、前記ＲＲＣ層メッセージ中における前記警報メッセージ数に基づいてあらゆる警報情報を読み取ったかを判断し、読み込んでいないと、あらゆる警報情報を読み取るまで、引き続き読み取るように更に構成される。
【００５９】
上記ＵＥは、受信したＲＲＣ層メッセージに基づいて対応する警報情報を受信するかを確定し、それにより、無用警報を繰り返して受信することによる電気エネルギーの無駄、メモリーの無駄及びメモリーが長期的にリリースできないという問題を確実に回避することができる。
【００６０】
さらに、本発明の実施例は、警報制御情報の処理システムを更に提供しており、図６に示すように、該システムは、図４に示す構造の基地局及び図５に示す構造のＵＥを備え、且つ図６から、基地局とコアネットワークネットワークエレメント（ＣＢＥ（Ｃｅｌｌ  Ｂｒｏａｄｃａｓｔ  Ｅｎｔｉｔｙ，セル放送エンティティ）、ＣＢＣ（Ｃｅｌｌ  Ｂｒｏａｄｃａｓｔ  Ｃｅｎｔｒｅ，セル放送中心）及びＭＭＥ（Ｍｏｂｉｌｉｔｙ  Ｍａｎａｇｅｍｅｎｔ  Ｅｎｔｉｔｙ、移動管理エンティティ））との間の関係が分かる。
【００６１】
一般の当業者は、上記方法における全部又は一部のステップをプログラムによって関連ハードウェアに命令を出して完成させることができ、前記プログラムはコンピュータ読み取り可能な記憶媒体、例えば読取り専用メモリー、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。
【００６２】
以上の実施例は本発明の技術的解決手段を説明するためのものに過ぎず、制限するものではなく、好適な実施例のみを参照しながら本発明を詳細に説明した。一般の当業者は、本発明技術的解決手段の趣旨及び範囲を逸脱することがなく、本発明の技術的解決手段を改定又は同等置換することができ、いずれも本発明の請求の範囲に含まれると理解することができる。
【産業上の利用可能性】
【００６３】
本発明の実施例中において、基地局はＲＲＣ層メッセージにより、警報メッセージが変更されたかを報知し、ＵＥは受信したＲＲＣ層メッセージに基づいて対応する警報情報を受信するかを確定し、それにより、無用警報を繰り返して受信することによる電気エネルギーの無駄、メモリーの無駄及びメモリーが長期的にリリースできないという問題を確実に回避することができる。
【図１】
0005961757.tif 000002
【図２】
0005961757.tif 000003
【図３】
0005961757.tif 000004
【図４】
0005961757.tif 000005
【図５】
0005961757.tif 000006
【図６】
0005961757.tif 000007